(57)【要約】      （修正有）【課題】リソースを削減し、他ユーザへの干渉量を削減し、無線基地局装置と無線ネットワーク制御装置間のメッセージ量も少なくする方法。【解決手段】基地局装置１０は、受信部で逆拡散されたプリアンブルを入力し、制御信号用のプリアンブルであるか判定する判定部１０６と、制御信号用プリアンブルの受信数を所定時間カウントするカウント部１０７と、制御用プリアンブルの受信数が閾値を超えたか判定する判定部１０９と、制御用プリアンブルの受信数が閾値を超えた場合、発呼規制情報を生成する発呼規制情報生成部１１０と、発呼規制情報を多重するＡＩＣＨ多重部１０１と、ＡＩＣＨ送信部１０２を備え、ＡＩＣＨ多重信号は送信部１０３で拡散されて送信され、端末２０は、受信部２０１で逆拡散されたＡＩＣＨを受けるＡＩＣＨ受信部２０２と、受信ＡＩＣＨからＡＣＫ／ＮＡＣＫ信号と発呼規制情報部とに分離するＡＩＣＨ分離部２０３を備える。【選択図】図２
2005354488.tif 000002
【特許請求の範囲】
【請求項１】
少なくとも１つの端末装置と、前記端末装置と無線通信する無線基地局装置とを備え、
前記無線基地局装置が、メッセージ送信許可を要求するために前記端末装置より送信されるプリアンブルの受信数をカウントする手段と、
前記カウントしたプリアンブルの数が予め定められた閾値を超えているか否か判定する手段と、
前記プリアンブルの受信数が予め定められた閾値を超えている場合、否定応答（ＮＡＣＫ）を、発呼規制情報とともに、前記端末装置に送信する手段と、
を備え、
前記端末装置は、前記無線基地局装置から送信された前記発呼規制情報を受信して判定し、プリアンブルを送信するか否かを決める手段を備えている、ことを特徴とする通信システム。
【請求項２】
少なくとも１つの端末装置と無線通信する無線基地局装置において、
前記端末装置から前記無線基地局装置への上りリンクチャネルにランダムアクセスチャネルを有し、前記端末装置は、ランダムアクセスチャネルのメッセージ部の送信許可を前記無線基地局装置から得るための信号としてプリアンブルを送信し、
前記無線基地局装置は、受信部で逆拡散されたプリアンブルを入力し、前記プリアンブルの受信数を所定時間カウントするカウント部と、
前記カウント部においてカウントされた、前記プリアンブルの受信数が予め設定された閾値を超えたか否かを判定する発呼規制判定部と、
前記プリアンブルの受信数が予め設定された閾値を超えた場合、否定応答信号とともに、発呼規制する時間も示す発呼規制情報を生成する発呼規制情報生成部と、
前記発呼規制情報生成部からの発呼規制情報を、アクイズィションインディケータチャネル（ＡＩＣＨ）の一部に多重するＡＩＣＨ多重部と、
を備え、
前記ＡＩＣＨ多重部からの多重信号が送信部で拡散されて送信される、ことを特徴とする無線基地局装置。
【請求項３】
少なくとも１つの端末装置と無線通信する無線基地局装置において、
前記端末装置から前記無線基地局装置への上りリンクチャネルにランダムアクセスチャネルを有し、前記端末装置は、ランダムアクセスチャネルのメッセージ部の送信許可を前記無線基地局装置から得るための信号としてプリアンブルを送信し、その際、前記プリアンブルにつづくメッセージが制御信号の場合、制御信号用のプリアンブルを送信し、前記プリアンブルにつづくメッセージがデータ信号の場合には、データ信号用のプリアンブルを送信し、
前記無線基地局装置は、受信部で逆拡散されたプリアンブルを入力し、制御信号用のプリアンブルであるか否かを判定する判定部と、
制御信号用プリアンブルの受信数を所定時間カウントするカウント部と、
前記カウント部でカウントされた、制御用のプリアンブルの受信数が予め設定された閾値を超えたか否かを判定する発呼規制判定部と、
前記制御用のプリアンブルの受信数が予め設定された閾値を超えた場合、否定応答信号（ＮＡＣＫ）とともに、発呼規制する時間も示す発呼規制情報を生成する発呼規制情報生成部と、
前記発呼規制情報生成部からの発呼規制情報をアクイズィションインディケータチャネル（ＡＩＣＨ）の一部に多重するＡＩＣＨ多重部と、
を備え、
前記ＡＩＣＨ多重部から出力される多重信号が送信部で拡散されて送信される、ことを特徴とする無線基地局装置。
【請求項４】
無線基地局装置から無線送信され受信部で逆拡散されたアクイズィションインディケータチャネル（ＡＩＣＨ）を受けるＡＩＣＨ受信部と、
前記ＡＩＣＨ受信部で受信したＡＩＣＨから、肯定応答（ＡＣＫ）／否定応答（ＮＡＣＫ）と、発呼規制情報部とに分離するＡＩＣＨ分離部と、
プリアンブルに対する前記無線基地局装置からの応答として、否定応答（ＮＡＣＫ）を受信した場合であって、ＡＩＣＨに発呼規制情報が多重されている場合には、前記ＡＩＣＨ分離部で分離された前記発呼規制情報を取得する発呼規制情報取得部と、
前記発呼規制情報から、発呼規制を行う時間を判定する発呼規制判定部と、
を備え、
前記発呼規制時間中は、再送や新たなプリアンブルの送信は行わないように制御する、ことを特徴とする端末装置。
【請求項５】
端末装置から無線基地局装置への上りリンクチャネルにランダムアクセスチャネルを有し、前記端末装置は、ランダムアクセスチャネルのメッセージ部の送信許可を前記無線基地局装置から得るための信号としてプリアンブルを送信し、
前記無線基地局装置は、
受信部で逆拡散されたプリアンブルを入力し、前記プリアンブルの受信数を所定時間カウントするカウント部と、
前記カウント部でカウントされた、前記プリアンブルの受信数が予め設定された閾値を超えたか否かを判定する発呼規制判定部と、
前記プリアンブルの受信数が予め設定された閾値を超えた場合、否定応答信号とともに、発呼規制する時間も示す発呼規制情報を生成する発呼規制情報生成部と、
前記発呼規制情報生成部からの発呼規制情報を、アクイズィションインディケータチャネル（ＡＩＣＨ）の一部に多重するＡＩＣＨ多重部と、
を備え、
前記ＡＩＣＨ多重部からの多重信号が送信部で拡散されて送信され、
前記端末装置は、
前記無線基地局装置から無線送信され受信部で逆拡散されたＡＩＣＨを受けるＡＩＣＨ受信部と、
前記ＡＩＣＨ受信部で受信したＡＩＣＨから、肯定応答（ＡＣＫ）／否定応答（ＮＡＣＫ）と、発呼規制情報部とに分離するＡＩＣＨ分離部と、
否定応答（ＮＡＣＫ）を受信した場合であって、前記ＡＩＣＨに、発呼規制情報が多重されている場合には、前記ＡＩＣＨ分離部で分離された発呼規制情報を取得する発呼規制情報取得部と、
前記発呼規制情報から発呼規制を行う時間を判定する発呼規制判定部と、
を備え、前記発呼規制時間中は、再送や新たなプリアンブルの送信は行わないように制御する通信システム。
【請求項６】
端末装置から無線基地局装置への上りリンクチャネルにランダムアクセスチャネルを有し、
前記端末装置は、ランダムアクセスチャネルのメッセージ部の送信許可を前記無線基地局装置から得るための信号としてプリアンブルを送信し、前記プリアンブルにつづくメッセージ信号が制御信号の場合、制御信号用のプリアンブルを送信し、前記プリアンブルにつづくメッセージ信号がデータ信号の場合には、データ信号用のプリアンブルを送信し、
前記無線基地局装置は、
受信部で逆拡散されたプリアンブルを入力し、制御信号用のプリアンブルであるか否かを判定する判定部と、
制御信号用プリアンブルの受信数を所定時間カウントするカウント部と、
前記カウント部でカウントされた、制御用のプリアンブルの受信数が予め設定された閾値を超えたか否かを判定する発呼規制判定部と、
前記制御用のプリアンブルの受信数が予め設定された閾値を超えた場合、否定応答（ＮＡＣＫ）とともに、発呼規制する時間を示す発呼規制情報を生成する発呼規制情報生成部と、
前記発呼規制情報生成部からの発呼規制情報をアクイズィションインディケータチャネル（ＡＩＣＨ）の一部に多重するＡＩＣＨ多重部と、
を備え、
前記ＡＩＣＨ多重部からの多重信号が送信部で拡散されて送信される、
前記端末装置は、
無線基地局装置から無線送信され受信部で逆拡散されたＡＩＣＨを受けるＡＩＣＨ受信部と、
前記ＡＩＣＨ受信部で受信したＡＩＣＨから、肯定応答（ＡＣＫ）／否定応答（ＮＡＣＫ）と、発呼規制情報部とに分離するＡＩＣＨ分離部と、
否定応答（ＮＡＣＫ）を受信した場合であって、前記ＡＩＣＨに発呼規制が多重されている場合には、前記ＡＩＣＨ分離部で分離された発呼規制情報を取得する発呼規制情報取得部と、
前記発呼規制情報から発呼規制を行う時間を判定する発呼規制判定部と、
を備え、前記発呼規制時間中は、再送や新たなプリアンブルの送信は行わないように制御する通信システム。
【請求項７】
論理チャネルに基づき、プリアンブルをグループ分けし、論理チャネル単位に、発呼規制を行う、ことを特徴とする請求項５又は６記載の通信システム。
【請求項８】
無線基地局装置が、メッセージ送信許可を要求するために端末装置より送信されるプリアンブルの受信数をカウントする工程と、
前記無線基地局装置が、前記カウントしたプリアンブルの数が予め定められた閾値を超えているか否か判定する工程と、
前記無線基地局装置は、前記プリアンブルの受信数が予め定められた閾値を超えている場合、否定応答（ＮＡＣＫ）を、発呼規制情報とともに、前記端末装置に送信する工程と、
前記端末装置が、前記無線基地局装置から送信された前記発呼規制情報を受信する工程と、
前記端末装置は、前記発呼規制情報を判定し、プリアンブルを送信するか否かを決める工程と、
を含む、ことを特徴とする発呼規制方法。
【請求項９】
端末装置と、無線基地局装置とを有する移動通信システムの通信制御方法において、
前記端末装置から前記無線基地局装置への上りリンクチャネルにランダムアクセスチャネルを有し、
前記端末装置は、ランダムアクセスチャネルのメッセージ部の送信許可を前記無線基地局装置から得るための信号としてプリアンブルを送信する工程を有し、
前記無線基地局装置は、
受信部で逆拡散されたプリアンブルを入力し、前記プリアンブルの受信数を所定時間カウントする工程と、
前記プリアンブルの受信数が予め設定された閾値を超えたか否かを判定する工程と、
前記プリアンブルの受信数が予め設定された閾値を超えた場合、否定応答（ＮＡＣＫ）とともに、発呼規制する時間を示す発呼規制情報を生成する工程と、
前記発呼規制情報を、ＡＩＣＨの一部に多重する工程と、
前記ＡＩＣＨ多重部からの多重信号が送信部で拡散して送信する工程と、
を有し、
前記端末装置は、前記無線基地局装置から無線送信され受信部で逆拡散されたＡＩＣＨを受ける工程と、
受信したＡＩＣＨから、肯定応答（ＡＣＫ）／否定応答（ＮＡＣＫ）と発呼規制情報部とに分離する工程と、
否定応答（ＮＡＣＫ）を受信した場合であって、前記ＡＩＣＨに発呼規制情報が多重されている場合には、前記分離された発呼規制情報から発呼規制を行う時間を判定する工程と、
前記発呼規制時間中は、再送や新たなプリアンブルの送信は行わないように制御する工程と、
を含む、ことを特徴とする通信制御方法。
【請求項１０】
前記端末装置は、ランダムアクセスチャネルのメッセージ部の送信許可を前記無線基地局装置から得るための信号としてプリアンブルを送信し、前記プリアンブルにつづくメッセージ信号が制御信号の場合、制御信号用のプリアンブルを送信し、前記プリアンブルにつづくメッセージ信号がデータ信号の場合には、データ信号用のプリアンブルを送信し、
前記無線基地局装置は、受信部で逆拡散されたプリアンブルが、制御信号用のプリアンブルであるか否かを判定する工程と、
制御信号用プリアンブルの受信数を所定時間カウントする工程と、
前記カウントされた、前記制御用のプリアンブルの受信数が予め設定された閾値を超えたか否かを判定する工程と、
前記制御用プリアンブルの受信数が予め設定された閾値を超えた場合、否定応答（ＮＡＣＫ）とともに、発呼規制する時間を示す発呼規制情報を生成する工程と、
を含む、ことを特徴とする請求項９記載の通信制御方法。
【請求項１１】
論理チャネルに基づき、プリアンブルをグループ分けし、論理チャネル単位に、発呼規制を行う、ことを特徴とする請求項９又は１０記載の通信制御方法。
【発明の詳細な説明】
【技術分野】
【０００１】
本発明は、端末と基地局とが無線通信する通信システムに関し、特に、ＣＤＭＡ（Ｃｏｄｅ  Ｄｉｖｉｓｉｏｎ  Ｍｕｌｔｉｐｌｅ  Ａｃｃｅｓｓ；符号分割多元アクセス）等の方式による無線通信システムに用いて好適な発呼規制方法及びシステムに関する。
【背景技術】
【０００２】
第３世代（３ＧＰＰ）携帯電話は、伝送効率の高い周波数帯を利用して高速通信を実現しており、静止画メール、動画メール、インターネット接続等のマルチメディア通信サービスが提供されるとともに、サービスエリアの拡大が図られている。端末（携帯電話）と無線通信する無線基地局装置（ＢＴＳ；Ｂａｓｅ  Ｔｒａｎｃｅｉｖｅｒ  Ｓｔａｔｉｏｎ）は、例えばＡＴＭ（非同期転送モード）プロトコルを介して、複数の無線基地局装置（ＢＴＳ）を管理する無線ネットワー制御装置（ＲＮＣ；Ｒａｄｉｏ  Ｎｅｔｗｏｒｋ  Ｃｏｎｔｒｏｌｌｅｒ）に接続され、移動通信交換局（ＭＳＣ；Ｍｏｂｉｌｅ  Ｓｅｒｖｉｃｅｓ  Ｓｗｉｔｃｈｉｎｇ  Ｃｅｎｔｅｒ）を介して公衆網に接続される。
【０００３】
無線基地局装置（ＢＴＳ）側の再開時等に、複数の端末側から一斉に位置登録等を行ってきて、無線基地局装置（ＢＴＳ）側と無線ネットワーク制御装置（ＲＮＣ）間で処理するメッセージ量が増えることにより、無線基地局装置において呼処理の制御を行っているＣＰＵが過負荷となり、処理遅延やメッセージのとりこぼし等によって、呼残り等の異常状態となる場合がある。
【０００４】
基地局と移動局のアクセス方式がＣＤＭＡ方式の場合、符号多重による干渉で通信品質が劣化しないように、干渉電力を監視し、干渉電力量が増大すると、移動局に対して無線基地局との通信規制を行うようにした構成が知られている（後記特許文献１参照）。後記特許文献１には、干渉電力量が第１の閾値以上の場合、回線交換型通信を規制し、干渉電力量が第１の閾値よりも大きい第２の閾値以上の場合、パケット型通信を規制するようにした構成が開示されている。また、基地局は、移動端末から受信した要求信号送信回数から上り制御チャネルの混雑度を把握し、発呼、位置登録規制条件を設定し、制御チャネルの混雑度に応じた規制を行う構成が開示されている。また、基地局が、移動局から受信した要求信号送信回数から、上りの制御チャネルの混雑状況を把握し、発呼及び位置登録規制条件を設定する構成も知られている（後記特許文献２参照）。
【０００５】
ＣＤＭＡを用いた移動体通信システム（３ＧＰＰ）において、移動局（端末）から基地局（無線基地局装置）の上りチャネルの一つのランダムアクセスを用いたものがある。このチャネルは、ＲＡＣＨ（ランダムアクセスチャネル）と呼ばれ、ＲＡＣＨは、プリアンブル（Ｐｒｅａｍｂｌｅ  ｐａｒｔ）と、メッセージ（Ｍｅｓｓａｇｅ  ｐａｒｔ）からなり、プリアンブルは、端末からのメッセージ信号送信許可の要求を基地局に伝える信号として用いられ、プリアンブルに対して基地局はその遅延プロファイルを求め、予め定められた閾値を超えるパスを検出するパス検出処理を行い、パスが検出された場合であってもメッセージが受信可能でない場合、基地局は否定応答（ＮＡＣＫ）を端末に送信し、ＮＡＣＫ信号を受信した端末は、再びプリアンブルを送信し、基地局においてパス検出を行ってメッセージ受信が可能な場合、肯定応答（ＡＣＫ）を端末に送信し、ＡＣＫを受信した端末がメッセージ信号を送信する制御が行われる（例えば図４参照）。なお、ＰＲＡＣＨ（Ｐｈｙｓｉｃａｌ  ｒａｎｄｏｍ  ａｃｃｅｓｓ  ｃｈａｎｎｅｌ）のプリアンブルと、ＮＡＣＫ、ＡＣＫ（ＡＩＣＨ）については、例えば後記非特許文献１が参照される。
【０００６】
【特許文献１】特開２０００−１１５０６１号公報（第２−３頁）
【特許文献２】特開平８−１１１８８６号公報（第４頁、第１図）
【非特許文献１】3rd Generation partnership Project 1, TS25.211 5.2.2.1 Physical random Access Channel, 5.3.3.6 Acquisition Indicator Channel、インターネット＜ＵＲＬ：http://www.3gpp.org/ftp/Specs/2002-06/Rel-5/25_Series/の25211-510.zip＞
【発明の開示】
【発明が解決しようとする課題】
【０００７】
したがって、本発明の目的は、端末側で位置登録等の発呼に対して、端末側で規制をかける制御を行うことによって、無線上の使用リソースを削減し、他ユーザへの干渉量を削減し、無線基地局装置と無線ネットワーク制御装置間のメッセージ量も少なくする方法とシステムを提供することにある。
【課題を解決するための手段】
【０００８】
本願で開示される発明は、上記目的を達成するため、概略以下の通りとされる。
【０００９】
本発明の１つのアスペクト（側面）に係る通信システムは、少なくとも１つの端末装置と、前記端末装置と無線通信する無線基地局装置とを備え、前記無線基地局装置が、メッセージ送信許可を要求するために前記端末装置より送信されるプリアンブルの受信数をカウントする手段と、前記カウントしたプリアンブルの数が予め定められた閾値を超えているか否か判定する手段と、前記プリアンブルの受信数が予め定められた閾値を超えている場合、否定応答（ＮＡＣＫ）を、発呼規制情報とともに、前記端末装置に送信する手段と、を備え、前記端末装置は、前記無線基地局装置から送信された前記発呼規制情報を受信して判定し、プリアンブルを送信するか否かを決める手段を備えている。
【００１０】
本発明の他のアスペクト（側面）に係る無線基地局装置は、少なくとも１つの端末装置と無線通信し、前記端末装置から前記無線基地局装置への上りリンクチャネルにランダムアクセスチャネルを有し、前記端末装置は、ランダムアクセスチャネルのメッセージ部の送信許可を前記無線基地局装置から得るための信号としてプリアンブルを送信し、前記無線基地局装置は、受信部で逆拡散されたプリアンブルを入力し、前記プリアンブルの受信数を所定時間カウントするカウント部と、前記カウント部においてカウントされた、前記プリアンブルの受信数が予め設定された閾値を超えたか否かを判定する発呼規制判定部と、前記プリアンブルの受信数が予め設定された閾値を超えた場合、否定応答信号とともに、発呼規制する時間も示す発呼規制情報を生成する発呼規制情報生成部と、前記発呼規制情報生成部からの発呼規制情報を、アクイズィションインディケータチャネル（ＡＩＣＨ）の一部に多重するＡＩＣＨ多重部と、を備え、前記ＡＩＣＨ多重部からの多重信号が送信部で拡散されて送信される。
【００１１】
本発明の他のアスペクト（側面）に係る無線基地局装置は、前記端末装置から前記無線基地局装置への上りリンクチャネルにランダムアクセスチャネルを有し、前記端末装置は、メッセージ信号送信許可を前記無線基地局装置から得るための信号としてプリアンブル信号を送信し、前記プリアンブル信号につづくメッセージ信号が制御信号の場合、制御信号用のプリアンブル信号を送信し、前記プリアンブル信号につづくメッセージ信号がデータ信号の場合には、データ信号用のプリアンブルを送信し、前記無線基地局装置は、受信部で逆拡散されたプリアンブル信号を入力し、制御信号用のプリアンブル信号であるか否かを判定する判定部と、制御信号用プリアンブル信号の受信数を所定時間カウントするカウント部と、前記カウント部で、制御用のプリアンブル信号の受信数が予め設定された閾値を超えたか否かを判定する発呼規制判定部と、前記制御用のプリアンブル信号の受信数が予め設定された閾値を超えた場合、否定応答信号とともに、発呼規制する時間も示す発呼規制情報を生成する発呼規制情報生成部と、前記発呼規制情報生成部からの発呼規制情報をアクイズィションインディケータチャネル（ＡＩＣＨ）の一部に多重するＡＩＣＨ多重部と、を備え、前記ＡＩＣＨ多重部からの多重信号が送信部で拡散されて送信される。
【００１２】
本発明の他のアスペクト（側面）に係る端末装置は、無線基地局装置から無線送信され受信部で逆拡散されたＡＩＣＨを受けるＡＩＣＨ受信部と、受信したＡＩＣＨからＡＣＫ／ＮＡＣＫ信号と発呼規制情報部とに分離するＡＩＣＨ分離部と、ＮＡＣＫ信号を受信した場合であって、ＡＩＣＨに発呼規制が多重されている場合には、前記ＡＩＣＨ分離部で分離された発呼規制情報を取得する発呼規制情報取得部と、前記発呼規制情報から発呼規制を行う時間を判定する発呼規制判定部と、を備え、前記発呼規制時間中は、再送や新規のＲＡＣＨプリアンブル信号の送信は行わないように制御する。
【発明の効果】
【００１３】
本発明によれば、無線基地局装置が、端末からのプリアンブル数をカウントし、閾値を超えると、端末からのプリアンブルの再送および新たな送信を抑えるために、無線基地局装置側で、ＡＩＣＨに、否定応答（ＮＡＣＫ）とともに、発呼規制情報を多重して送信し、端末側では発呼規制情報を判定し、プリアンブルを送信するか否かを決めることで、その後のメッセージの送信を抑えることができる。
【００１４】
本発明によれば、使用する無線リソースも抑えることによって、他ユーザへの干渉量を削減し、さらに無線ネットワーク制御装置と無線基地局装置間のメッセージ量を削減でき、基地局側の呼処理を制御するＣＰＵの負荷も下げることができる。
【００１５】
さらに、ＲＡＣＨ（ランダムアクセスチャネル）の複数のプリアンブルを制御信号用とデータ信号用に予めグループ分けしておくことによって、呼処理を制御するＣＰＵの負荷に影響のある制御信号用のプリアンブルのみ発呼規制をかけることもできる。
【発明を実施するための最良の形態】
【００１６】
本発明についてさらに詳細に説述すべく、添付図面を参照して説明する。本発明は、基地局側の再開時等に、複数の端末側から、一斉に位置登録等を行ってきて、基地局側で過負荷のためにシステムが破綻することを回避するため、位置登録等の発呼に対して、端末側で規制をかける制御を、物理層で行うようにしたものである。本発明は、無線基地局装置（１０）において、受信部で逆拡散されたプリアンブル信号を入力し、制御信号用のプリアンブル信号であるか否かを判定する判定部（１０６）と、制御信号用プリアンブル信号の受信数を所定時間カウントするカウント部（１０７）と、制御用のプリアンブル信号の受信数が閾値を超えたか判定する判定部（１０９）と、制御用のプリアンブル信号の受信数が閾値を超えた場合、否定応答信号とともに、発呼規制する時間も示す発呼規制情報を生成する発呼規制情報生成部（１１０）と、発呼規制情報をＡＩＣＨの一部に多重するＡＩＣＨ多重部（１０１）と、ＡＩＣＨ送信部（１０２）を備え、ＡＩＣＨ多重信号が送信部（１０３）で拡散されて送信される。端末（２０）は、受信部（２０１）で逆拡散されたＡＩＣＨを受けるＡＩＣＨ受信部（２０２）と、受信ＡＩＣＨからＡＣＫ／ＮＡＣＫ信号と発呼規制情報部とに分離するＡＩＣＨ分離部（２０３）と、ＮＡＣＫ信号を受信した場合であって、ＡＩＣＨに発呼規制が多重されている場合には、前記ＡＩＣＨ分離部で分離された発呼規制情報を取得する発呼規制情報取得部（２０６）と、発呼規制情報から発呼規制を行う時間を判定する発呼規制判定部（２０８）と、を備え、前記発呼規制時間中は、再送や新規のＲＡＣＨプリアンブル信号の送信は行わないように制御する。
【００１７】
基地局受信側では、端末からのＲＡＣＨプリアンブル（Ｒａｎｄｏｍ  Ａｃｃｅｓｓ  Ｃｈａｎｎｅｌ  Ｐｒｅａｍｂｌｅ  Ｐａｒｔ）を受信し、プリアンブルの受信数が一定数に達した場合、発呼規制をかけるために、ＡＩＣＨ（Ａｑｕｉｓｉｔｉｏｎ  Ｉｎｄｉｃａｔｏｒ  Ｃｈａｎｎｅｌ）の一部に、発呼規制情報を多重して、端末側に送信する。
【００１８】
端末側では、再送を行わず、その情報に基づき、ある一定区間の発呼の規制をかける。端末側に送信する発呼規制情報は、多値の値をとり、その値に応じて、端末側の規制時間を制御する。
【００１９】
またＲＡＣＨ（Ｒａｎｄｏｍ  Ａｃｃｅｓｓ  Ｃｈａｎｎｅｌ）のプリアンブル信号は、制御信号用と、データ信号用に使用されており、制御信号用にのみ規制をかける場合を考慮して、複数のプリアンブルを制御信号用とデータ信号用にグループ分けをしておき、制御信号用のプリアンブルのみ規制をかけることもできる。本発明においては、端末からのメッセージ信号送信許可を無線基地局装置から得るための信号としてプリアンブル信号を送信し、前記プリアンブル信号につづくメッセージ信号が制御信号の場合、制御信号用のプリアンブル信号を送信し、前記プリアンブル信号につづくメッセージ信号がデータ信号の場合には、データ信号用のプリアンブルを送信する構成とし、プリアンブル信号の受信数をカウントするにあたり、端末からのプリアンブル信号が、制御信号用のプリアンブル信号であるかデータ信号用のプリアンブル信号であるか判定し、制御信号用のプリアンブル信号をカウントする構成としてもよい。
【００２０】
また、制御信号にも用途によって、論理チャネル（Ｌｏｇｉｃａｌ  Ｃｈａｎｎｅｌ）毎に複数種類あるので、論理チャネル毎にプリアンブルをグループ分けし論理チャネル単位に規制を行うようにしてもよい。
【００２１】
図４に、本発明における、ＡＩＣＨとＰＲＡＣＨ（ＲＡＣＨ  Ｐｒｅａｍｂｌｅ  Ｐａｒｔ，  ＲＡＣＨ  Ｍｅｓｓａｇｅ  Ｐａｒｔ）のタイミング関係の一例が示される。プリアンブルは、端末からのメッセージ送信許可の要求を無線基地局装置に伝える信号として用いられ、メッセージ送信許可の場合、無線基地局装置はＡＣＫを端末に送信し、これを受けて端末は、メッセージ（ＲＡＣＨ  Ｍｅｓｓａｇｅ  Ｐａｒｔ）を送信する。メッセージ送信不可の場合、無線基地局装置は、ＮＡＣＫを端末に送信する。本発明では、ＮＡＣＫを発呼規制情報と多重して端末に送信している。以下、実施例に即して詳細に説明する。
【実施例】
【００２２】
図１は、本発明の一実施例の構成を示す図である。図１には、無線基地局装置（「基地局」という）１０の送受信部の構成と、端末２０の送受信部の構成が示されている。図１を参照すると、基地局１０は、ＡＩＣＨ（Ａｃｑｕｉｓｉｔｉｏｎ  Ｉｎｄｉｃａｔｏｒ  Ｃｈａｎｎｅｌ）多重部１０１と、ＡＩＣＨ送信部１０２と、トランシーバ（ＴＲＸ）部１０３と、ＲＡＣＨプリアンブル・パート（ＲＡＣＨ  Ｐｒｅａｍｂｌｅ  Ｐａｒｔ）受信部１０４と、ＰＲＡＣＨ（Ｐｈｙｓｉｃａｌ  Ｒａｎｄｏｍ  Ａｃｃｅｓｓ  Ｃｈａｎｅｌｌ）受信部１０５と、制御信号用プリアンブル判定部１０６と、制御信号用プリアンブル数カウント部１０７と、ＲＡＣＨメッセージ・パート（ＲＡＣＨ  Ｍｅｓｓａｇｅ  Ｐａｒｔ）受信部１０８と、発呼規制判定部１０９と、発呼規制情報生成部１１０とを備えている。
【００２３】
基地局１０において、ＴＲＸ部１０３から逆拡散されたＲＡＣＨプリアンブル・パートが、ＰＲＡＣＨ受信部１０５を通してＲＡＣＨプリアンブル・パート受信部１０４に入力され、制御信号用プリアンブル判定部１０６で制御信号用プリアンブルであるのか否かの判定が行われる。
【００２４】
制御信号用のプリアンブルであるか否かの判定は、予め複数のプリアンブルを、制御信号用と、データ信号用とにグループ分けしておき、端末２０側から、プリアンブル・パートにつづく、ＲＡＣＨメッセージ・パート（Ｍｅｓｓａｇｅ  Ｐａｒｔ）が制御信号の場合、制御信号用のプリアンブルを使用し、データ信号の場合には、データ信号用のプリアンブルを使用するようにする。特に、グループ分けをしないで、全てのプリアンブルをカウントする構成としてもよい。
【００２５】
制御信号用プリアンブル数カウント部１０７で、制御用のプリアンブルの受信数をある一定時間、カウントする。
【００２６】
発呼規制判定部１０９で、制御用のプリアンブルの受信数が予め設定された閾値を超えたか否かを判定し、閾値を超えた場合には、否定応答であるＮＡＣＫとともに、発呼規制情報生成部１１０で発呼規制する時間も示す発呼規制情報を生成し、ＡＩＣＨ多重部１０１に供給する。
【００２７】
ＡＩＣＨ多重部１０１は、通常、ＡＣＫ／ＮＡＣＫを送信するＡＩＣＨの一部に、発呼規制情報を多重し、ＡＩＣＨ送信部１０２を介して、トランシーバ（ＴＲＸ）１０３の送信部で拡散して送信される。発呼規制判定部１０９で、制御用のプリアンブルの受信数が予め設定された閾値を超えない場合は、ＡＩＣＨ多重部１０１は、通常通り、ＡＣＫを、ＡＩＣＨで送信する。
【００２８】
図１の端末２０はいずれも同一構成とされ、図１では、（Ｎ＋１）台の端末のうち端末＃０と＃Ｎの送受信部の構成が示されている。図１を参照すると、端末２０は、ＴＲＸ（Ｔｒａｎｓｍｉｔｔｅｒ／Ｒｅｃｅｉｖｅｒ）部２０１と、ＡＩＣＨ受信部２０２と、ＡＩＣＨ（Ａｑｕｉｔｉｏｎ  Ｉｎｄｉｃａｔｏｒ  Ｃｈａｎｎｅｌ）分離部２０３と、ＲＡＣＨメッセージ・パート（Ｍｅｓｓａｇｅ  Ｐａｒｔ）生成部２０４と、ＰＲＡＣＨ（Ｐｈｙｓｉｃａｌ  Ｒａｎｄｏｍ  Ａｃｃｅｓｓ  Ｃｈａｎｎｅｌ）送信部２０５と、発呼規制情報取得部２０６と、ＲＡＣＨプリアンブル・パート（Ｐｒｅａｍｂｌｅ  Ｐａｒｔ）生成部２０７と、発呼規制判定部２０８とを備えている。
【００２９】
ＴＲＸ部２０１から逆拡散されたＡＩＣＨがＡＩＣＨ受信部２０２で受信される。
【００３０】
ＡＩＣＨ分離部２０３で、通常のＡＣＫ／ＮＡＣＫ部と発呼規制情報部とに分離され、ＡＣＫの場合は、ＲＡＣＨメッセージ・パート（Ｍｅｓｓａｇｅ  Ｐａｒｔ）生成部２０４で、ＲＡＣＨメッセージ・パートが生成され、通常通りの処理となる。
【００３１】
ＮＡＣＫの場合は、発呼規制情報取得部２０６で、発呼規制情報が取得され、発呼規制判定部２０８に供給される。
【００３２】
発呼規制判定部２０８は、発呼規制情報から発呼規制を行う時間を判定する。
【００３３】
発呼規制時間中は、再送や新規のＲＡＣＨプリアンブル・パートは送信しない。
【００３４】
発呼規制時間を過ぎると必要に応じて、ＲＡＣＨプリアンブル・パート生成部２０７でＲＡＣＨプリアンブル・パートが生成され、ＰＲＡＣＨ送信部２０５を介してＴＲＸ部２０１から基地局１０に送信できるようになる。
【００３５】
ＮＡＣＫを受信した場合でも、発呼規制情報が、発呼規制をしないという情報であれば、通常通りの処理となる。
【００３６】
ＲＡＣＨプリアンブル・パートには、送信するＲＡＣＨメッセージ・パート（Ｍｅｓｓａｇｅ  Ｐａｒｔ）の用途によって、制御信号用とデータ信号用に予めグループ分けされており、制御信号用のみに規制をかけることもできる。
【００３７】
また制御信号にも用途によって論理チャネル（Ｌｏｇｉｃａｌ  Ｃｈａｎｎｅｌ）毎に複数種類あるので、論理チャネル毎にプリアンブルをグループ分けして、論理チャネル単位に規制を行うこともできる。
【００３８】
基地局１０において、ＴＲＸ部１０３から逆拡散された複数の端末２０（端末＃０〜端末＃Ｎ）からのＲＡＣＨプリアンブル・パートがそれぞれＰＲＡＣＨ受信部１０５を通してＲＡＣＨプリアンブル・パート受信部１０４に入力され、制御信号用プリアンブル判定部１０６で制御信号用のプリアンブルであるか否かの判定が行われる。
【００３９】
制御信号用のプリアンブルであるか否かの判定は、予め複数のプリアンブルを制御信号用とデータ信号用とにグループ分けしておき、端末側からプリアンブル・パートにつづくＲＡＣＨメッセージ・パートが制御信号の場合は、制御信号用のプリアンブルを使用し、データ信号の場合には、データ信号用のプリアンブルを使用するようにする。
【００４０】
特にグループ分けをしないで全てのプリアンブルをカウントすることも考えられる。プリアンブルのグループ分けの方法の一例は、図２に示される。なお、プリアンブルは、４０９６チップ（ｃｈｉｐｓ）よりなり、１６チップ長のシグネチャの２５６回繰り返しよりなり、最大１６個のシグネチャが利用可能である（上記非特許文献１参照）。
【００４１】
図２では、１６個のプリアンブルを、８個単位で２つのグループに分け、Ｐ０〜Ｐ７をデータ通信に使用され発呼規制をかけない通常用のプリアンブルとし、Ｐ８〜Ｐ１５を制御信号用として、発呼規制をかける発呼規制用のプリアンブルとしている。
【００４２】
制御信号用プリアンブル数カウント部１０７で、制御用のプリアンブルの受信数をある一定時間、カウントし、発呼規制判定部１０９で予め設定された閾値を超えたか否かの判定を行う。
【００４３】
制御信号用プリアンブル数カウント部１０７でのカウント数が閾値をこえた時点で、ＮＡＣＫとともに、発呼規制情報生成部１１０で発呼規制する時間も示す発呼規制情報を生成する。
【００４４】
図３は、発呼規制情報を多重するＡＩＣＨの無線フォーマットの一例を示す図である（非特許文献１の５．３．３．７  Ａｑｕｉｓｔｉｏｎ  Ｉｎｄｉｃａｔｏｒ  Ｃｈａｎｎｅｌ参照）。ＡＩＣＨは、１５個連続するアクセススロットＡＳ＃０〜ＡＳ＃１４を有し（各５１２０チップ）、各アクセススロットＡＳは、ＡＩパート（３２個のｒｅａｌ  ｖａｌｕｅｄ  ｓｙｍｂｏｌｓ，ａ０〜ａ３１）と、１０２４チップのＵＩパート（８個のｒｅａｌ  ｖａｌｕｅｄ  ｓｙｍｂｏｌｓ，Ｃ０〜Ｃ７）からなる。
【００４５】
例えば、ＵＩパートの８個のシンボルよりなる発呼規制情報（Ｃ０〜Ｃ７）は、
（Ｃ０，Ｃ１，・・・，Ｃ６，Ｃ７）＝（０，０，０，０，０，０，０，０）〜（１，１，１，１，１，１，１，１）の２５６通りで表される。
【００４６】
（Ｃ０，Ｃ１，・・・，Ｃ６，Ｃ７）＝（０，０，０，０，０，０，０，０）の場合は、発呼規制をしない。
【００４７】
（Ｃ０，Ｃ１，・・・，Ｃ６，Ｃ７）＝（０，０，０，０，０，０，０，１）〜（１，１，１，１，１，１，１，１）で、それぞれ発呼規制をする時間を定義しておく。その時間の間は、再送や、新規のプリアンブルは、端末２０側から送信されない。
【００４８】
基地局１０のＡＩＣＨ多重部１０１で、図３に示すように、通常、ＡＣＫ／ＮＡＣＫを送信するＡＩＣＨの一部に発呼規制情報を多重し、ＡＩＣＨ送信部１０２を介して、ＴＲＸ１０３で拡散されて送信される。
【００４９】
閾値を超えなかった場合は、通常通り、肯定応答ＡＣＫを、ＡＩＣＨで送信する。
【００５０】
端末２０において、ＴＲＸ部２０１から逆拡散されたＡＩＣＨが、ＡＩＣＨ受信部２０２で受信される。ＡＩＣＨ分離部２０３において、通常のＡＣＫ／ＮＡＣＫと、発呼規制情報とに分離される。
【００５１】
ＡＣＫの場合は、ＲＡＣＨメッセージパート生成部２０４でＲＡＣＨメッセージパートが生成され、通常通りの処理となる。
【００５２】
ＮＡＣＫの場合は、発呼規制情報取得部２０６で発呼規制情報が取得される。発呼規制判定部２０８で、その発呼規制情報から発呼規制を行う時間を判定する。
【００５３】
発呼規制時間中は、再送や新規のＲＡＣＨプリアンブル・パート送信しない。発呼規制時間を過ぎると必要に応じて、ＲＡＣＨプリアンブル・パート生成部２０７でＲＡＣＨ  プリアンブル・パートが生成され、ＰＲＡＣＨ送信部２０５を介してＴＲＸ部２０１から基地局１０に送信できるようになる。
【００５４】
なお、ＮＡＣＫの場合でも、発呼規制情報が発呼規制をしないという情報であれば、通常通りの処理となる。
【００５５】
ＲＡＣＨプリアンブル・パートには、送信するＲＡＣＨメッセージパートの用途によって、制御信号用とデータ信号用に予めグループ分けされており、制御信号用のみに制御をかけることもできる。
【００５６】
また、制御信号にも用途によって、論理チャネル（Ｌｏｇｉｃａｌ  Ｃｈａｎｎｅｌ）毎に複数種類あるので、論理チャネル毎にプリアンブルをグループ分けして、論理チャネル単位に規制を行うこともできる。
【００５７】
本実施例では、端末からのプリアンブル数をカウントし、ある閾値を超えると端末からのプリアンブルの再送および新規送信を抑えるために、基地局側で、ＡＩＣＨにＮＡＣＫをともに、発呼規制情報を多重して送信し、端末側では、発呼規制情報を判定し、プリアンブルを送信するかを決めることができ、その後のメッセージパートの送信を抑えることができる。
【００５８】
使用する無線リソースも抑えることによって、他ユーザへの干渉量を削減し、さらに、図示されない無線ネットワーク制御装置（ＲＮＣ）と基地局間のメッセージ量を削減でき、基地局側の呼処理を制御するＣＰＵの負荷も下げることができる。
【００５９】
さらに、ＲＡＣＨの複数のプリアンブルを制御信号用とデータ信号用に予めグループ分けしておくことによって、呼処理を制御するＣＰＵの負荷に影響のある制御信号用のプリアンブルのみ発呼規制をかけることもできる。
【００６０】
また、制御信号にも用途によって、論理チャネル（Ｌｏｇｉｃａｌ  Ｃｈａｎｎｅｌ）毎に複数種類あるので、論理チャネル毎にプリアンブルをグループ分けして、論理チャネル単位に規制を行うこともできる。
【００６１】
以上、本発明を上記実施例に即して説明したが、本発明は、上記実施例の構成にのみ限定されるものでなく、本発明の範囲内で当業者であればなし得るであろう各種変形、修正を含むことは勿論である。
【図面の簡単な説明】
【００６２】
【図１】本発明の一実施例の構成を示す図である。
【図２】ＲＡＣＨプリアンブル・パートの構成の一例を示す図である。
【図３】ＡＩＣＨの無線フレーム構成の一例を示す図である。
【図４】ＡＩＣＨとＰＲＡＣＨのタイミング関係を示す図である。
【符号の説明】
【００６３】
１０  基地局
２０  端末
１０１  ＡＩＣＨ多重部
１０２  ＡＩＣＨ送信部
１０３  ＴＲＸ部
１０４  ＲＡＣＨプリアンブルパート受信部
１０５  ＰＲＡＣＨ受信部
１０６  制御用プリアンブル判定部
１０７  制御用プリアンブル数カウント部
１０８  ＲＡＣＨメッセージパート受信部
１０９  発呼規制判定部
１１０  発呼規制情報生成部
２０１  ＴＲＸ部
２０２  ＡＩＣＨ受信部
２０３  ＡＩＣＨ分離部
２０４  ＲＡＣＨメッセージパート生成部
２０５  ＰＲＡＣＨ送信部
２０６  発呼規制情報取得部
２０７  ＲＡＣＨプリアンブルパート生成部
２０８  発呼規制判定部
【図１】
2005354488.tif 000003
【図２】
2005354488.tif 000004
【図３】
2005354488.tif 000005
【図４】
2005354488.tif 000006